(57)【特許請求の範囲】
【請求項１】
両側に配置される一対の主筋と、この一対の主筋の間に配置される少なくとも１本以上の腹筋と、前記一対の主筋と前記腹筋とに亘って配置されて結束したあばら筋とからなる一対の鉄筋ユニットであり、
前記一対の鉄筋ユニットは、
前記一方の主筋の端部の長さと、前記他方の主筋の端部の長さが異なる長さであり、
前記主筋の長い端部を主筋軸から外れるように屈曲させて連結方向へ延長させ、
前記主筋の短い端部を連結方向に延びる直線状に延長させ、
前記腹筋は、２本であり、
前記第１の腹筋は、前記主筋の短い端部と略同じ長さの連結方向に延びる直線状に延長させ、
前記第２の腹筋は、前記主筋の長い端部と略同じ長さで腹筋軸から外れるように屈曲させて連結方向へ延長させ、
前記第１の腹筋は、前記長い端部の主筋側に配置し、
前記第２の腹筋は、前記短い端部の主筋側に配置したことを特徴とする一対の鉄筋ユニット。
【請求項２】
両側に配置される一対の主筋と、この一対の主筋の間に配置される少なくとも１本以上の腹筋と、前記一対の主筋と前記腹筋とに亘って配置されて結束したあばら筋とからなる一対の鉄筋ユニットであり、
前記一対の鉄筋ユニットは、
前記一方の主筋の端部の長さと、前記他方の主筋の端部の長さが異なる長さであり、
前記主筋の長い端部を主筋軸から外れるように屈曲させて連結方向へ延長させ、
前記主筋の短い端部を連結方向に延びる直線状に延長させ、
前記一方の鉄筋ユニットは、
前記腹筋は、１本であり、
前記腹筋は、前記主筋の短い端部と略同じ長さで連結方向に延びる直線状に延長させ、
前記他方の鉄筋ユニットは、
前記腹筋は、１本であり、
前記腹筋は、前記主筋の長い端部と略同じ長さで腹筋軸から外れるように屈曲させて連結方向へ延長させたことを特徴とする一対の鉄筋ユニット。
【請求項３】
両側に配置される一対の主筋と、この一対の主筋の間に配置される少なくとも１本以上の腹筋と、前記一対の主筋と前記腹筋とに亘って配置されて結束したあばら筋とからなる一対の鉄筋ユニットであり、
前記一対の鉄筋ユニットは、
前記一方の主筋の端部の長さと、前記他方の主筋の端部の長さが異なる長さであり、
前記主筋の長い端部を主筋軸から外れるように屈曲させ、さらに連結方向へ屈曲して延長させ、
前記主筋の短い端部を連結方向に延びる直線状に延長させたことを特徴とする一対の鉄筋ユニット。
【請求項４】
請求項１に記載の一対の鉄筋ユニットを用い、
前記一対の鉄筋ユニット同士の連結は、
一方の前記鉄筋ユニットの主筋の長い端部の屈曲して延長する部分と、
他方の前記鉄筋ユニットの主筋の短い端部の直線状に延長する部分とを重ね、
一方の前記鉄筋ユニットの主筋の短い端部の直線状に延長する部分と、
他方の前記鉄筋ユニットの主筋の長い端部の屈曲して延長する部分とを重ねて連結し、
前記腹筋同士の連結は、
一方の前記鉄筋ユニットの第１の腹筋は、主筋の短い端部と略同じ長さであり、第２の腹筋は、主筋の長い端部と略同じ長さであり、
他方の前記鉄筋ユニットの第１の腹筋は、主筋の長い端部と略同じ長さであり、第２の腹筋は、主筋の短い端部と略同じ長さであり、
一方の前記鉄筋ユニットの前記第１の腹筋の短い端部の直線状に延長する部分と、他方の前記鉄筋ユニットの前記第１の腹筋の長い端部の屈曲して延長する部分とを重ね、
一方の前記鉄筋ユニットの前記第２の腹筋の長い端部の屈曲して延長する部分と、他方の前記鉄筋ユニットの前記第２の腹筋の短い端部の直線状に延長する部分とを重ねて連結することを特徴とする基礎構築鉄筋組立方法。
【請求項５】
請求項２に記載の一対の鉄筋ユニットを用い、
前記一対の鉄筋ユニット同士の連結は、
一方の前記鉄筋ユニットの主筋の長い端部の屈曲して延長する部分と、
他方の前記鉄筋ユニットの主筋の短い端部の直線状に延長する部分とを重ね、
一方の前記鉄筋ユニットの主筋の短い端部の直線状に延長する部分と、
他方の前記鉄筋ユニットの主筋の長い端部の屈曲して延長する部分とを重ねて連結し、
前記腹筋同士の連結は、
一方の前記鉄筋ユニットの腹筋の端部の直線状に延長する部分と、
他方の前記鉄筋ユニットの腹筋の端部の屈曲して延長する部分とを重ねて連結することを特徴とする基礎構築鉄筋組立方法。
【請求項６】
請求項３に記載の一対の鉄筋ユニットを用い、
前記一対の鉄筋ユニット同士の連結は、
一方の前記鉄筋ユニットの主筋の長い端部の連結方向へ屈曲して延長する部分と、
他方の前記鉄筋ユニットの主筋の短い端部の直線状に延長する部分とを重ね、
一方の前記鉄筋ユニットの主筋の短い端部の直線状に延長する部分と、
他方の前記鉄筋ユニットの主筋の長い端部の連結方向へ屈曲して延長する部分とを重ねて連結することを特徴とする基礎構築鉄筋組立方法。
【発明の詳細な説明】
【技術分野】
【０００１】
この発明は、一対の鉄筋ユニット及び基礎構築鉄筋組立方法に係り、詳しくは、施工現場において容易に組立てることができる一対の鉄筋ユニット及び基礎構築鉄筋組立方法に関する。
【背景技術】
【０００２】
戸建住宅のような小規模建築物の基礎では、図１１に示すように、一般的な梁１１０の断面の形状は、矩形断面を有し、上下の主筋１００，１０１の間に腹筋１０２を横方向に配置し、上下の主筋１００，１０１と、腹筋１０２に亘ってあばら筋１０３を縦方向に配置して連結した鉄筋コンクリート造としている。このような小規模建築物の基礎では、図１２に示すように、下側に引張側応力が生じ、上側に圧縮側応力が生じる。この梁１１０の荷重状態は、図１３に示すような集中荷重がかかり、あるいは図１４に示すような等分布荷重がかかると考えられる。
【０００３】
小規模建築物の基礎の梁１１０に、これらの荷重が作用すると、梁１１０は、荷重方向に凸に変形する。例えば、図１３に示すような集中荷重が作用すると、梁１１０は、図１５に示すような荷重方向に凸に変形し、また図１４に示すような等分布荷重が作用すると、梁１１０は、図１６に示すような荷重方向に凸に変形する。
【０００４】
この変形量の最も大な位置は、梁１１０の中央であり、また最小なる位置は、梁１１０の端部になる。言い換えれば、梁１１０の中央部で曲げモーメソトが最大となり、梁１１０の端部では曲げモーメントが最小となることを意味する。一方、せん断力は、梁１１０の中央では、その値はゼロである。実際の構造物では、１／４Ｌ（スパン）で最大となる。梁部材に荷重が作用すると、梁１１０は、荷重方向に曲がる。と同時に梁１１０には、せん断力の影響も受ける。
【０００５】
このことを実際の横造物に当て嵌めると、基礎べ一スは、地盤応力により下から上に曲げ及びせん断が、また基礎梁には、やはり地盤応力により下から上に曲げ及びせん断力が作用する。梁１１０は、このような応力に対抗できるように鉄筋コンクリート造としている。
【０００６】
このうち鉄筋は、梁１１０の断面に発生する引っ張り力に抵抗し、コンクリートは、圧縮力に抵杭して一体なってその発生応力を各々が協力し分担しているものと考える。更に、変形が進むとやがてコンクリートの粘着力が最大となり、ここにひび割れが発生する。このひび割れに対杭できるのは、あばら筋１０３であり、よってあばら筋１０３には、引っ張り応力が働く。
【０００７】
例えば、小規模建築物の基礎には、鉄筋ユニットが用いられ、鉄筋ユニットは、工場生産型が主流である。この鉄筋ユニットは、上ば主筋と下ば主筋、腹筋、あばら筋等で構成され、もっぱら地中梁に配される。この鉄筋ユニットは、上ば主筋、下ば主筋、腹筋を横方向に配置し、これらの縦方向にはあばら筋を配置し、各々を点溶接などで固定してワンユニットとしている。
【０００８】
この鉄筋ユニット同士は、施工現場で接続され、この鉄筋ユニット同士の連結には、いくつかの方法が採用されている。長手方向の連結は、鉄筋ユニットと鉄筋ユニットを突き合わせ状に配置し、添え筋を添えて固定して組み立てる。また、出隅部の連結は、鉄筋ユニットと鉄筋ユニットとをＬ状に配置し、Ｌ状に加工された添え筋を添えて固定して組み立てる。
【０００９】
このように基礎構築鉄筋の組立は、鉄筋ユニット同士を連結するための添え筋が必要であり、その分部品点数が増えて運搬や取扱に手数を要すると共に鉄筋量が多くなっている。このため、特許文献１，２では、鉄筋ユニットの主筋や腹筋の端部に曲げ加工し、曲げ加工されていない鉄筋ユニットと連結することで、添え鉄筋を用いることなく鉄筋ユニット同士の高さを揃えて結束することができ、鉄筋ユニット同士の間で高さにずれが生じることなく、コンクリートかぶりが発生することができるようになっている。
【特許文献１】特開平７−１０９７８８号公報
【特許文献２】特開２００５−１９４８７８
【発明の開示】
【発明が解決しようとする課題】
【００１０】
このように特許文献１，２に示す鉄筋ユニットでは、主筋や腹筋の端部にクランク状の曲がり部が同一個所に設けられている。ところで、鉄筋の性質として、熱の進入には組成が硬化して所定の伸び率が確保できなくなる一方、曲げにより組成が乱れ、耐力の減少が起き易い等の欠点をも持ち合わせている。このため、図１２に示すような集中荷重がかかり、あるいは図１３に示すような等分布荷重がかかると、クランク状の曲がり部で耐力の減少が起きてコンクリートにひび割れが発生する虞がある。
【００１１】
この発明は、以上の点を考慮してなされたもので、鉄筋ユニットの曲げ加工が同一箇所に集中しないようにした一対の鉄筋ユニット及び基礎構築鉄筋組立方法を提供することを目的としている。
【課題を解決するための手段】
【００１２】
前記課題を解決し、かつ目的を達成するために、この発明は、以下のように構成した。
【００１３】
請求項１に記載の発明は、両側に配置される一対の主筋と、この一対の主筋の間に配置される少なくとも１本以上の腹筋と、前記一対の主筋と前記腹筋とに亘って配置されて結束したあばら筋とからなる一対の鉄筋ユニットであり、前記一対の鉄筋ユニットは、前記一方の主筋の端部の長さと、前記他方の主筋の端部の長さが異なる長さであり、前記主筋の長い端部を主筋軸から外れるように屈曲させて連結方向へ延長させ、前記主筋の短い端部を連結方向に延びる直線状に延長させ、前記腹筋は、２本であり、前記第１の腹筋は、前記主筋の短い端部と略同じ長さの連結方向に延びる直線状に延長させ、前記第２の腹筋は、前記主筋の長い端部と略同じ長さで腹筋軸から外れるように屈曲させて連結方向へ延長させ、前記第１の腹筋は、前記長い端部の主筋側に配置し、前記第２の腹筋は、前記短い端部の主筋側に配置したことを特徴とする一対の鉄筋ユニットである。
【００１５】
請求項２に記載の発明は、両側に配置される一対の主筋と、この一対の主筋の間に配置される少なくとも１本以上の腹筋と、前記一対の主筋と前記腹筋とに亘って配置されて結束したあばら筋とからなる一対の鉄筋ユニットであり、前記一対の鉄筋ユニットは、前記一方の主筋の端部の長さと、前記他方の主筋の端部の長さが異なる長さであり、前記主筋の長い端部を主筋軸から外れるように屈曲させて連結方向へ延長させ、前記主筋の短い端部を連結方向に延びる直線状に延長させ、前記一方の鉄筋ユニットは、前記腹筋は、１本であり、前記腹筋は、前記主筋の短い端部と略同じ長さで連結方向に延びる直線状に延長させ、前記他方の鉄筋ユニットは、前記腹筋は、１本であり、前記腹筋は、前記主筋の長い端部と略同じ長さで腹筋軸から外れるように屈曲させて連結方向へ延長させたことを特徴とする一対の鉄筋ユニットである。
【００１６】
請求項３に記載の発明は、両側に配置される一対の主筋と、この一対の主筋の間に配置される少なくとも１本以上の腹筋と、前記一対の主筋と前記腹筋とに亘って配置されて結束したあばら筋とからなる一対の鉄筋ユニットであり、前記一対の鉄筋ユニットは、前記一方の主筋の端部の長さと、前記他方の主筋の端部の長さが異なる長さであり、前記主筋の長い端部を主筋軸から外れるように屈曲させ、さらに連結方向へ屈曲して延長させ、前記主筋の短い端部を連結方向に延びる直線状に延長させたことを特徴とする一対の鉄筋ユニットである。
【００２０】
請求項４に記載の発明は、請求項１に記載の一対の鉄筋ユニットを用い、前記一対の鉄筋ユニット同士の連結は、一方の前記鉄筋ユニットの主筋の長い端部の屈曲して延長する部分と、他方の前記鉄筋ユニットの主筋の短い端部の直線状に延長する部分とを重ね、一方の前記鉄筋ユニットの主筋の短い端部の直線状に延長する部分と、他方の前記鉄筋ユニットの主筋の長い端部の屈曲して延長する部分とを重ねて連結し、前記腹筋同士の連結は、一方の前記鉄筋ユニットの第１の腹筋は、主筋の短い端部と略同じ長さであり、第２の腹筋は、主筋の長い端部と略同じ長さであり、他方の前記鉄筋ユニットの第１の腹筋は、主筋の長い端部と略同じ長さであり、第２の腹筋は、主筋の短い端部と略同じ長さであり、一方の前記鉄筋ユニットの前記第１の腹筋の短い端部の直線状に延長する部分と、他方の前記鉄筋ユニットの前記第１の腹筋の長い端部の屈曲して延長する部分とを重ね、一方の前記鉄筋ユニットの前記第２の腹筋の長い端部の屈曲して延長する部分と、他方の前記鉄筋ユニットの前記第２の腹筋の短い端部の直線状に延長する部分とを重ねて連結することを特徴とする基礎構築鉄筋組立方法である。
【００２１】
請求項５に記載の発明は、請求項２に記載の一対の鉄筋ユニットを用い、前記一対の鉄筋ユニット同士の連結は、一方の前記鉄筋ユニットの主筋の長い端部の屈曲して延長する部分と、他方の前記鉄筋ユニットの主筋の短い端部の直線状に延長する部分とを重ね、一方の前記鉄筋ユニットの主筋の短い端部の直線状に延長する部分と、他方の前記鉄筋ユニットの主筋の長い端部の屈曲して延長する部分とを重ねて連結し、前記腹筋同士の連結は、一方の前記鉄筋ユニットの腹筋の端部の直線状に延長する部分と、他方の前記鉄筋ユニットの腹筋の端部の屈曲して延長する部分とを重ねて連結することを特徴とする基礎構築鉄筋組立方法である。
【００２２】
請求項６に記載の発明は、請求項３に記載の一対の鉄筋ユニットを用い、前記一対の鉄筋ユニット同士の連結は、一方の前記鉄筋ユニットの主筋の長い端部の連結方向へ屈曲して延長する部分と、他方の前記鉄筋ユニットの主筋の短い端部の直線状に延長する部分とを重ね、一方の前記鉄筋ユニットの主筋の短い端部の直線状に延長する部分と、他方の前記鉄筋ユニットの主筋の長い端部の連結方向へ屈曲して延長する部分とを重ねて連結することを特徴とする基礎構築鉄筋組立方法である。
【発明の効果】
【００２７】
前記構成により、この発明は、以下のような効果を有する。
請求項１乃至請求項６に記載の発明では、鉄筋コンクリート造として用いる場合、主筋の端部の曲げ加工が同一箇所に集中しないため、集中荷重がかかり、あるいは等分布荷重がかかることがあってもコンクリートにひび割れが発生することを防止できる。
【発明を実施するための最良の形態】
【００３２】
以下、この発明の一対の鉄筋ユニット及び基礎構築鉄筋組立方法の実施の形態について説明する。この発明の実施の形態は、発明の最も好ましい形態を示すものであり、この発明はこれに限定されない。
【００３３】
図１は住宅基礎の平面図である。住宅基礎１は、施工現場で配筋してコンクリートを打設して施工される。この住宅基礎には直行部２、出隅部３などがある。この発明は、住宅基礎１の直行部２、出隅部３に適用される鉄筋ユニット及び基礎構築鉄筋組立方法である。第１乃至第３の実施の形態は、直行部２に適用されるものであり、第４の実施の形態は、出隅部３に適用されるものである。
［第１の実施の形態］
この実施の形態の鉄筋ユニット１０，２０を図２に示す。この鉄筋ユニット１０は、一対の主筋１１，１２と、この一対の主筋１１、１２の間に配置される２本の第１及び第２の腹筋１３，１４と、一対の主筋１１，１２と２本の第１及び第２の腹筋１３，１４とに亘って直交する方向に配置されて溶接や結束部材により結束した複数のあばら筋１５とからなる。一対の主筋１１，１２、第１及び第２の腹筋１３，１４、あばら筋１５は、異形鉄筋を用いるが、これに限定されない。
【００３４】
この鉄筋ユニット１０は、一方の主筋１１の端部１１ａの長さと、他方の主筋１２の端部１２ａの長さが異なる長さであり、主筋１１の端部１１ａの長さが主筋１２の端部１２ａの長さより長くなっている。
主筋１１の長い端部１１ａは、主筋軸から外れるように屈曲させて連結方向へ延長させている。この屈曲部１１ｂでは、図２において、横方向から斜め下に曲げ、さらに横方向に曲げクランクを形成しているが、これに限定されず屈曲部１１ｂは略直角に曲げても良いし、屈曲部１１ｂは下方向に限らず上方向に曲げても良い。
【００３５】
主筋１２の短い端部１２ａは、連結方向に延びる直線状に延長させている。この端部１２ａの先端は、主筋１１の長い端部１１ａの屈曲部１１ｂまで延びない位置である。
第１の腹筋１３の端部１３ａは、主筋１２の短い端部１２ａと略同じ長さの連結方向に延びる直線状に延長させ、この第１の腹筋１３は、長い端部１１ａの主筋１１側に配置されている。
【００３６】
第２の腹筋１４の端部１４ａは、主筋１１の長い端部１１ａと略同じ長さで腹筋軸から外れるように屈曲させて連結方向へ延長させている。この屈曲部１４ｂでは、図２において、横方向から斜め下に曲げ、さらに横方向に曲げクランクを形成しているが、これに限定されず屈曲部１４ｂは略直角に曲げても良いし、屈曲部１４ｂは下方向に限らず上方向に曲げても良い。この第２の腹筋１４は、短い端部１２ａの主筋１２側に配置され、第２の腹筋１４の屈曲部１４ｂは、主筋１１の屈曲部１１ｂと対向する位置である。
【００３７】
鉄筋ユニット２０は、鉄筋ユニット１０と対称に構成され、主筋２１の端部２１ａの長さと、主筋２２の端部２２ａの長さが異なる長さであり、主筋２１の端部２１ａの長さより、主筋２２の端部２２ａの長さが長くなっている。主筋２１の短い端部２１ａは、連結方向に延びる直線状に延長させている。主筋２２の長い端部２２ａは、主筋軸から外れるように屈曲させて連結方向へ延長させており、屈曲部２２ｂが形成されている。屈曲部２２ｂは、主筋２１の短い端部２１ａの先端より延びた位置にあり、図２において、横方向から斜め上に曲げ、さらに横方向に曲げクランクを形成しているが、これに限定されず屈曲部２２ｂは略直角に曲げても良いし、屈曲部２２ｂは上方向に限らず下方向に曲げても良い。
【００３８】
また、第１の腹筋２３と第２の腹筋２４も、第１の腹筋１３と第２の腹筋１４と対称に構成されている。第１の腹筋２３の端部２３ａの長さと、第２の腹筋２４の端部２４ａの長さが異なる長さであり、第１の腹筋２３の端部２３ａの長さが、第２の腹筋２４の端部２４ａの長さより長くなっている。第１の腹筋１３の長い端部２３ａは、腹筋軸から外れるように屈曲させて連結方向へ延長させており、屈曲部２３ｂが形成されている。
【００３９】
屈曲部２３ｂは、主筋２１の短い端部２１ａの先端より延びた位置にあり、図２において、横方向から斜め下に曲げ、さらに横方向に曲げクランクを形成しているが、これに限定されず屈曲部２３ｂは略直角に曲げても良いし、屈曲部２３ｂは下方向に限らず上方向に曲げても良い。第２の腹筋２４の短い端部２４ａは、連結方向に延びる直線状に延長させ、短い端部２４ａの先端は、主筋２１の短い端部２１ａの先端と対向する位置にある。
【００４０】
この鉄筋ユニット１０は、予め主筋１１及び第２の腹筋１４に屈曲部１１ｂ，１４ｂの曲げ加工を行い、あばら筋１５で連結してユニットを形成しても良いし、あばら筋１５で連結してユニットを形成した後に、主筋１１及び第２の腹筋１４に屈曲部１１ｂ，１４ｂの曲げ加工を行っても良い。鉄筋ユニット２０も同様に、予め主筋２２及び第１の腹筋２３に屈曲部２２ｂ，２３ｂの曲げ加工を行い、あばら筋２５で連結してユニットを形成しても良いし、あばら筋２５で連結してユニットを形成した後に、主筋２２及び第１の腹筋２３に屈曲部２２ｂ，２３ｂの曲げ加工を行っても良い。また、屈曲部１１ｂ，１４ｂの曲げ方向は、前記したように特に限定されないが、ユニット内側方向がコンクリート厚みが同じになり好ましい。  
【００４１】
次に、鉄筋ユニット１０と鉄筋ユニット２０の組立を、図３及び図４に基づいて説明する。図３は基礎構築鉄筋組立を示す正面図、図４は基礎構築鉄筋組立を示す断面図である。
【００４２】
この実施の形態では、図３に示すように、鉄筋ユニット１０の主筋１１の長い端部１１ａの屈曲して延長する部分と、鉄筋ユニット２０の主筋２１の短い端部２１ａの直線状に延長する部分とを屈曲部１１ｂがユニット内側になるようにして重ねて溶接や結束部材などで連結する。また、鉄筋ユニット１０の主筋１２の短い端部１２ａの直線状に延長する部分と、鉄筋ユニット２０の主筋２２の長い端部２２ａの屈曲して延長する部分とを屈曲部２２ｂがユニット内側になるようにして重ねて溶接や結束部材などで連結する。
鉄筋ユニット１０の第１の腹筋１３の短い端部１３ａの直線状に延長する部分と、鉄筋ユニット２０の第１の腹筋２３の長い端部２３ａの屈曲して延長する部分とを、屈曲部２３ｂが下側になるようにして重ねて溶接や結束部材などで連結する。また、鉄筋ユニット１０の第２の腹筋１４の長い端部１４ａの屈曲して延長する部分と、鉄筋ユニット２０の第２の腹筋２４の短い端部２４ａの直線状に延長する部分とを、屈曲部１４ｂが下側になるようにして重ねて溶接や結束部材などで連結する。
【００４３】
このように構成することで、図３及び図４に示すように、鉄筋コンクリート造として用い る場合、主筋１１，２２の端部１１ａ，２２ａの屈曲部１１ｂ，２２ｂの位置がＬ１、Ｌ２となって所定間隔Ｄ１ずれて曲げ加工が同一箇所に集中しない。また、腹筋１４，２３の端部１４ａ，２３ａの屈曲部１４ｂ，２３ｂの位置も同様に所定間隔Ｄ１ずれて曲げ加工が同一箇所に集中しない。このように、鉄筋コンクリート造として用いる場合、基礎構築鉄筋の曲げ加工が同一箇所に集中しないため、集中荷重がかかり、あるいは等分布荷重がかかることがあってもコンクリートにひび割れが発生することを防止できる。
［第２の実施の形態］
この実施の形態の鉄筋ユニット１０，２０を図５に示す。この鉄筋ユニット１０は、一対の主筋１１，１２と、この一対の主筋１１、１２の間に配置される１本の腹筋１６と、一対の主筋１１，１２と１本の腹筋１６とに亘って配置されて結束した複数のあばら筋１５とからなる。
【００４４】
この鉄筋ユニット１０では、１本の腹筋１６が配置され、他の一対の主筋１１，１２、あばら筋１５の構成は、第１の実施の形態と同様であり、同じ符号を付して説明を省略する。１本の腹筋１６の端部１６ａは、主筋１２の短い端部１２ａと略同じ長さで連結方向に延びる直線状に延長させている。
【００４５】
また、鉄筋ユニット２０では、１本の腹筋２６が配置され、他の一対の主筋２１，２２、あばら筋２５の構成は、第１の実施の形態と同様であり、同じ符号を付して説明を省略する。１本の腹筋２６の端部２６ａは、主筋２２の長い端部２２ａと略同じ長さで腹筋軸から外れるように屈曲させて連結方向へ延長させ、屈曲部２６ｂが形成されている。屈曲部２６ｂは、主筋２１の短い端部２１ａの先端より延びた位置にあり、図５において、横方向から斜め下に曲げ、さらに横方向に曲げクランクを形成しているが、これに限定されず屈曲部２６ｂは略直角に曲げても良いし、屈曲部２６ｂは下方向に限らず上方向に曲げても良い。
【００４６】
次に、鉄筋ユニット１０と鉄筋ユニット２０の組立を、図６に基づいて説明する。図６は基礎構築鉄筋組立を示す正面図である。
この実施の形態では、鉄筋ユニット１０の主筋１１、１２と、鉄筋ユニット２０の主筋２１、２２との連結は、第１の実施の形態と同様である。この実施の形態の鉄筋ユニット１０の腹筋１６の端部１６ａの直線状に延長する部分と、鉄筋ユニット２０の腹筋２６の端部２６ａの屈曲して延長する部分とを重ねて連結する。
【００４７】
この実施の形態では、鉄筋ユニット１０の腹筋１６は、主筋１２の短い端部１２ａと略同じ長さで連結方向に延びる直線状に延長させたものであり、鉄筋ユニット２０の腹筋２６は、主筋２２の長い端部２２ａと略同じ長さで腹筋軸から外れるように屈曲させて連結方向へ延長させたものであり、鉄筋ユニット１０の腹筋１６と、鉄筋ユニット２０の腹筋２６を連結する。
【００４８】
このように構成することで、鉄筋コンクリート造として用いる場合、主筋１１，２２の端部１１ａ，２２ａの屈曲部１１ｂ，２２ｂの位置がＬ１、Ｌ２となって所定間隔Ｄ１ずれて曲げ加工が同一箇所に集中しない。また、腹筋２６の端部２６ａの屈曲部２６ｂの位置も同様に主筋１１の端部１１ａの屈曲部１１ｂの位置から所定間隔Ｄ１ずれており、曲げ加工が同一箇所に集中しない。このように、鉄筋コンクリート造として用いる場合、基礎構築鉄筋の曲げ加工が同一箇所に集中しないため、集中荷重がかかり、あるいは等分布荷重がかかることがあってもコンクリートにひび割れが発生することを防止できる。
【００４９】
［参考例の実施の形態］
この実施の形態の鉄筋ユニット１０，２０を図７に示す。この鉄筋ユニット１０は、一対の主筋１１，１２と、この一対の主筋１１、１２の間に配置される１本の腹筋１７と、一対の主筋１１，１２と１本の腹筋１７とに亘って配置されて結束した複数のあばら筋１５とからなる。
【００５０】
この鉄筋ユニット１０では、主筋１１の端部１１ａの長さと、主筋１２の端部１２ａの長さが同じ長さで連結方向へ延長させている。この主筋１１の端部１１ａを連結方向に延びる直線状に延長させている。また、主筋１２の端部１２ａを主筋軸から外れるように屈曲させて連結方向へ延長させ、屈曲部１２ｂを形成している。
【００５１】
腹筋１７は、１本であり、この腹筋１７の端部１７ａは、主筋１１，１２の長さより短く腹筋軸から外れるように屈曲させて連結方向へ延長させ、屈曲部１７ｂを形成している。
【００５２】
また、鉄筋ユニット２０は、一対の主筋２１，２２と、この一対の主筋２１、２２の間に配置される１本の腹筋２７と、一対の主筋２１，２２と１本の腹筋２７とに亘って配置されて結束した複数のあばら筋２５とからなる。
【００５３】
この鉄筋ユニット２０では、主筋２１の端部２１ａの長さと、主筋２２の端部２２ａの長さが同じ長さで連結方向へ延長させている。主筋２１の端部２１ａを主筋軸から外れるように屈曲させて連結方向へ延長させ、屈曲部２１ｂを形成している。主筋２２の端部２２ａを連結方向に延びる直線状に延長させている。腹筋２７は、１本であり、この腹筋２７の端部２７ａを連結方向に延びる直線状に延長させている。
【００５４】
次に、鉄筋ユニット１０と鉄筋ユニット２０の組立を、図８に基づいて説明する。図８は基礎構築鉄筋組立を示す正面図である。
この実施の形態では、鉄筋ユニット１０の主筋１１、１２と、鉄筋ユニット２０の主筋２１、２２との連結は、鉄筋ユニット１０の主筋１１の端部１１ａの直線状に延長する部分と、鉄筋ユニット２０の主筋２１の端部２１ａの屈曲して延長する部分とを重ねて連結する。また、鉄筋ユニット１０の主筋１２の端部１２ａの屈曲して延長する部分と、鉄筋ユニット２０の主筋２２の端部２２ａの直線状に延長する部分とを重ねて連結する。
また、鉄筋ユニット１０の腹筋１７の端部１７ａの屈曲して延長する部分と、鉄筋ユニット２０の腹筋２７の端部２７ａの屈曲して延長する部分とを重ねて連結する。
このように構成することで、鉄筋コンクリート造として用いる場合、主筋１２，２１の端部１２ａ，２１ａの屈曲部１２ｂ，２１ｂの位置はＬ３、Ｌ４であり、所定間隔Ｄ２ずれており、曲げ加工が同一箇所に集中しないため、集中荷重がかかり、あるいは等分布荷重がかかることがあってもコンクリートにひび割れが発生することを防止できる。
また、腹筋１７の端部１７ａの屈曲部１７ｂと主筋２１の端部２１ａの屈曲部２１ｂが所定間隔Ｄ２ずれており、曲げ加工が同一箇所に集中しないため、集中荷重がかかり、あるいは等分布荷重がかかることがあってもコンクリートにひび割れが発生することを防止できる。
［第４の実施の形態］
この実施の形態の鉄筋ユニット１０，２０を図９に示す。この鉄筋ユニット１０は、一対の主筋１１，１２と、この一対の主筋１１、１２の間に配置される１本の腹筋１８と、一対の主筋１１，１２と１本の腹筋１８とに亘って配置されて結束した複数のあばら筋１５とからなる。
【００５５】
この鉄筋ユニット１０では、主筋１１の端部１１ａの長さと、主筋１２の端部１２ａの長さが異なる長さである。主筋１１の短い端部１１ａは、連結方向に延びる直線状に延長させている。主筋１２の長い端部１２ａは、主筋軸から外れるように屈曲させ、この屈曲部１２ｂからさらに連結方向へ屈曲して延長させ、屈曲部１２ｂ及び屈曲部１２ｃを形成している。屈曲部１２ｂは前記したように上方向に曲げたものであり、屈曲部１２ｃは横方向に曲げている。
【００５６】
腹筋１８は、１本であり、この腹筋１８の端部１８ａは、主筋１１の短い端部１１ａと同様に連結方向に延びる直線状に延長させている。
また、鉄筋ユニット２０は、一対の主筋２１，２２と、この一対の主筋２１、２２の間に配置される１本の腹筋２８と、一対の主筋２１，２２と１本の腹筋２８とに亘って配置されて結束した複数のあばら筋２５とからなる。
【００５７】
この鉄筋ユニット２０では、主筋２１の端部２１ａの長さと、主筋２２の端部２２ａの長さが異なる長さである。主筋２１の長い端部２１ａは、主筋軸から外れるように屈曲させ、この屈曲部２１ｂからさらに連結方向へ屈曲して延長させ、屈曲部２１ｂ及び屈曲部２１ｃを形成している。屈曲部２１ｂは前記したように下方向に曲げたものであり、屈曲部２１ｃは横方向に曲げている。
【００５８】
主筋２２の短い端部２２ａは、連結方向に延びる直線状に延長させている。
腹筋２８は、１本であり、この腹筋２８の端部２８ａは、腹筋軸から外れるように屈曲させ、この屈曲部２８ｂからさらに連結方向へ屈曲して延長させ、屈曲部２８ｂ及び屈曲部２８ｃを形成している。屈曲部２１ｂは前記したように下方向に曲げたものであり、屈曲部２１ｃは横方向に曲げている。
【００５９】
次に、鉄筋ユニット１０と鉄筋ユニット２０の組立を、図１０に基づいて説明する。図１０は基礎構築鉄筋組立を示す正面図である。
【００６０】
この実施の形態では、鉄筋ユニット１０の主筋１１、１２と、鉄筋ユニット２０の主筋２１、２２との連結は、鉄筋ユニット１０の主筋１１の端部１１ａの直線状に延長する部分と、鉄筋ユニット２０の主筋２１の端部２１ａの屈曲して延長する部分とを重ねて連結する。また、鉄筋ユニット１０の主筋１２の端部１２ａの屈曲して延長する部分と、鉄筋ユニット２０の主筋２２の端部２２ａの直線状に延長する部分とを重ねて連結する。
【００６１】
また、鉄筋ユニット１０の腹筋１８の端部１７ａの直線状に延長する部分と、鉄筋ユニット２０の腹筋２８の端部２８ａの屈曲して延長する部分とを重ねて連結する。また、この実施の形態では、鉄筋ユニット１０，２０の腹筋は、１本であるが２本状にしても良い。
【００６２】
このように、この実施の形態では、鉄筋コンクリート造として用いる場合、主筋１２，２１の端部１２ａ，２１ａの屈曲部１２ｂ，２１ｂの位置がＬ１０、Ｌ１１であり、位置がずれており、また腹筋２８の端部２８ａの屈曲部２８ｂの位置がＬ１１であり、主筋１２の端部１２ａの屈曲部１２ｂの位置がＬ１０とずれている。また、屈曲部２１ｃ，１２ｃ，２８ｃの位置Ｌ１２であり、この位置Ｌ１２は屈曲部１２ｂ，２１ｂの位置Ｌ１０、Ｌ１１及び屈曲部２８ｂの位置Ｌ１１とずれている。このように、曲げ加工が同一箇所に集中しないため、集中荷重がかかり、あるいは等分布荷重がかかることがあってもコンクリートにひび割れが発生することを防止できる。
【産業上の利用可能性】
【００６３】
この発明は、施工現場において容易に組立てることができる一対の鉄筋ユニット及び基礎構築鉄筋組立方法に適用可能であり、鉄筋ユニットの曲げ加工が同一箇所に集中しないようにすることができる。
【図面の簡単な説明】
【００６４】
【図１】図１は住宅基礎の平面図である。
【図２】第１の実施の形態の鉄筋ユニットを示す図である。
【図３】第１の実施の形態の基礎構築鉄筋組立を示す正面図である。
【図４】第１の実施の形態の基礎構築鉄筋組立を示す断面図である。
【図５】第２の実施の形態の鉄筋ユニットを示す図である。
【図６】第２の実施の形態の基礎構築鉄筋組立を示す正面図である。
【図７】第３の実施の形態の鉄筋ユニットを示す図である。
【図８】第３の実施の形態の基礎構築鉄筋組立を示す正面図である。
【図９】第４の実施の形態の鉄筋ユニットを示す図である。
【図１０】第４の実施の形態の基礎構築鉄筋組立を示す斜視図である。
【図１１】小規模建物の基礎断面図である。
【図１２】小規模建物の基礎の応力を説明する図である。
【図１３】小規模建物の基礎の集中荷重を説明する図である。
【図１４】小規模建物の基礎の等分布荷重を説明する図である。
【図１５】小規模建物の基礎の集中荷重による変形を説明する図である。
【図１６】小規模建物の基礎の等分布荷重による変形を説明する図である。
【符号の説明】
【００６５】
１  住宅基礎
２  直行部
３  出隅部
１０  鉄筋ユニット
１１、１２主筋
１１ａ  主筋１１の端部
１１ｂ  屈曲部
１２ａ  主筋１２の端部
１２ｂ、１２ｃ  屈曲部      
１３  第１の腹筋
１３ａ  第１の腹筋１３の端部
１４  第２の腹筋
１４ａ  第２の腹筋１４の端部
１４ｂ  屈曲部
１５  あばら筋
１６  腹筋
１６ａ  腹筋１６の端部
１７  腹筋
１８  腹筋
２０  鉄筋ユニット
２１、２２主筋
２１ａ  主筋２１の端部
２１ｂ，２１ｃ  屈曲部
２２ａ  主筋２２の端部
２２ｂ  屈曲部       
２３  第１の腹筋
２３ａ  第１の腹筋２３の端部
２３ｂ  屈曲部
２４  第２の腹筋
２４ａ  第２の腹筋２４の端部
２５  あばら筋
２６  腹筋
２６ａ  腹筋２６の端部
２６ｂ  屈曲部
２７  腹筋
２７ａ  腹筋２７の端部
２８  腹筋
２８ａ  腹筋２８の端部
【図１】
0005083953.tif 000002
【図２】
0005083953.tif 000003
【図３】
0005083953.tif 000004
【図４】
0005083953.tif 000005
【図５】
0005083953.tif 000006
【図６】
0005083953.tif 000007
【図７】
0005083953.tif 000008
【図８】
0005083953.tif 000009
【図９】
0005083953.tif 000010
【図１０】
0005083953.tif 000011
【図１１】
0005083953.tif 000012
【図１２】
0005083953.tif 000013
【図１３】
0005083953.tif 000014
【図１４】
0005083953.tif 000015
【図１５】
0005083953.tif 000016
【図１６】
0005083953.tif 000017